(57)【要約】【課題】  複数の光源を組み合わせることにより、興趣に富んだ発光態様を実現することが可能な遊技機の装飾構造及び遊技機を提供する。【解決手段】  遊技者が視認可能な所定位置に設けられる装飾レンズ体５０と、その装飾レンズ体５０の背面側に配置され、該装飾レンズ体５０を照射して面発光させる複数の光源とを備え、複数の光源は、第１の発光色で照射する第１光源と、その第１の発光色とは異なる第２の発光色で照射可能な第２光源とを有し、第１及び第２光源は、装飾レンズ体５０を面発光させる際に、それぞれの第１及び第２の発光色で発光する領域を形成しつつ、当該第１及び第２光源の発光色を混色した第３の発光色で発光する領域を形成可能に配置されている。【選択図】  図３
2010188061.tif 000002
【特許請求の範囲】
【請求項１】
遊技機の装飾に用いられる装飾構造であって、
遊技者が視認可能な所定位置に設けられる装飾レンズ体と、
その装飾レンズ体の背面側に配置され、該装飾レンズ体を照射して面発光させる複数の光源と、を備え、
前記複数の光源は、第１の発光色で照射する第１光源と、その第１の発光色とは異なる第２の発光色で照射可能な第２光源とを有し、
前記第１及び第２光源は、前記装飾レンズ体を面発光させる際に、それぞれの第１及び第２の発光色で発光する領域を形成しつつ、当該第１及び第２光源の発光色を混色した第３の発光色で発光する領域を形成可能に配置されていることを特徴とする遊技機の装飾構造。
【請求項２】
前記第１光源が照射光の光軸を前記装飾レンズ体と平行になるように配置され、その第１光源の照射光を前記装飾レンズ体に向けて反射する反射面を有する反射レンズ体を備え、
前記反射面には、前記反射レンズ体の中部からの光を前記装飾レンズ体に向けて射出可能な第１反射領域と、該中部からの光を遮断する第２反射領域とが形成され、
前記反射レンズ体に、前記第２光源が照射した照射光の一部が所定位置から中部に導光されて前記第１反射領域から射出されることにより、前記第１光源の反射光と合わさって前記装飾レンズ体を第３の発光色で発光する一方、前記第２反射領域では、中部に導光された第２光源の光を遮断して前記第１光源の反射光によって前記装飾レンズ体を第１の発光色で発光する請求項１に記載の遊技機の装飾構造。
【請求項３】
前記第２光源が前記第１光源と対向して配置され、
前記第１及び第２光源は、前記反射レンズ体の第２反射領域においてそれぞれの第１及び第２の発光色で前記装飾レンズ体を面発光する一方、前記第１反射領域においてそれぞれの屈折光及び反射光によって混色した第３の発光色で装飾レンズ体を面発光する請求項２に記載の遊技機の装飾構造。
【請求項４】
前記第２反射領域は、前記反射レンズ体の前面側に配置された柔軟性及び光透過性を有する配線基板の導体パターン或いは塗料・印刷インクなどの不透明部によって形成され、前記第１光源がその配線基板に実装されている請求項２または３に記載の遊技機の装飾構造。
【請求項５】
前記第２反射領域は、前記反射レンズ体の前面側に配置された柔軟性及び光透過性を有する配線基板の導体パターン或いは塗料・印刷インクなどの不透明部によって形成され、前記第１及び第２光源がその配線基板に実装されている請求項２または３に記載の遊技機の装飾構造。
【請求項６】
請求項１ないし５のいずれか１項に記載の装飾構造を用いた遊技機。
【発明の詳細な説明】
【技術分野】
【０００１】
本発明は、遊技機の装飾構造及びそれを用いた遊技機に関する。
【背景技術】
【０００２】
ぱちんこ機などの遊技機には、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、遊技球を一時的に貯留し、該貯留した遊技球を内枠に設けられる発射装置の発射位置へ誘導する。そして、前枠には発射ハンドルが設けられ、該発射ハンドルの操作により発射装置を作動させる。
【０００３】
近年のぱちんこ機において、遊技盤の前面側（遊技者側）に形成される遊技領域では、液晶表示器などの可変表示装置を用いてリーチ予告演出、リーチ演出、大当たり予告演出、大当たり演出等の演出表示を多様化させると共に、その可変表示装置の演出表示と併せて役物装置などに動きを与え、また発光させて、盤面全体で演出を行い、視覚的な興趣を高める工夫が提案されている。さらには、遊技領域を囲む前枠に装飾が施されて遊技機全体で演出が行われている。もちろん、発光ダイオードに代表される発光素材が昨今急速な進歩を遂げあらゆる産業分野に普及しつつあることも、遊技機における視覚的な演出効果の向上に寄与している。
【先行技術文献】
【特許文献】
【０００４】
【特許文献１】特許第３６１３５９８号公報
【０００５】
特許文献１の遊技機は、遊技盤の略中央部に液晶表示器などで構成される変動表示装置（可変表示装置）を備えたセンター役物を配置しており、そのセンター役物に装飾性の高い発光表現を行うための装飾装置が設けられている。この装飾装置は、発光手段（第２電気的発光手段）の発光態様に基づいて発色する複数の棒状発色部材を備えていて、その棒状発色部材の発光状態を様々に変化させることができるとともに、その棒状発色部材の発光色と、レンズ部材よりも後方に配置された別の発光手段（第１電気的発光手段）による発光色とを組み合わせて装飾効果の向上を図ったものである。
【発明の概要】
【発明が解決しようとする課題】
【０００６】
しかしながら、上記装飾装置は、棒状発色部材を用いて、複数の発光手段を組み合わせることにより色や点灯、点滅のパターンなどの発光態様を多様化することができるが、棒状発色部材とその周囲とが別々に発光態様を変化する構成なので、遊技者はすぐに見慣れてしまい、興趣が持続するものではない。
【０００７】
本発明の課題は、上記実情に鑑みてなされたものであり、複数の光源を組み合わせることにより、興趣に富んだ発光態様を実現することが可能な遊技機の装飾構造及び遊技機を提供することにある。
【課題を解決するための手段】
【０００８】
上記課題を解決するために、本発明の遊技機の装飾構造は、
遊技機の装飾に用いられる装飾構造であって、
遊技者が視認可能な所定位置に設けられる装飾レンズ体と、
その装飾レンズ体の背面側に配置され、該装飾レンズ体を照射して面発光させる複数の光源と、を備え、
複数の光源は、第１の発光色で照射する第１光源と、その第１の発光色とは異なる第２の発光色で照射可能な第２光源とを有し、
第１及び第２光源は、装飾レンズ体を面発光させる際に、それぞれの第１及び第２の発光色で発光する領域を形成しつつ、当該第１及び第２光源の発光色を混色した第３の発光色で発光する領域を形成可能に配置されていることを特徴とする。
【０００９】
上記課題を解決するために、本発明の遊技機は、
以上のような装飾構造を用いたことを特徴とする。
【発明の効果】
【００１０】
上記本発明の遊技機によれば、装飾レンズ体の後面側に配置された第１及び第２光源が、装飾レンズ体を面発光させる際に、それぞれの第１及び第２の発光色を混色した第３の発光色で面発光する領域を形成しつつ、第１及び第２の発光色で発光する領域が残存可能に配置されている。これによれば、第１光源と第２光源といった複数の光源を組み合わせたときに、第１光源の発光による第１の発光色と、第２光源の発光による第２の発光色のみならず、それらが混色した第３の発光色によっても装飾レンズ体を面発光するので、発光色や点灯、点滅のパターンにグラデーション効果を加えて発光態様のバリエーションを増加することができ興趣に富んだ発光態様を実現することができる。ひいては、遊技者はその発光態様に見慣れることなく、興趣を持続させることができる。
【００１１】
また、第１及び第２光源としてフルカラーのＬＥＤを用いることなく単色のＬＥＤを用いた場合にも、混色することでＬＥＤ（光源）の個数を減らした状態で発光態様を多様化することができ、製造コストを低減することができる。また、フルカラーのＬＥＤを用いた場合には、飛躍的に発光態様を増加させることができる。
【００１２】
また、遊技機の装飾構造の具体的な態様として、第１光源が照射光の光軸を装飾レンズ体と平行になるように配置され、その第１光源の照射光を装飾レンズ体に向けて反射する反射面を有する反射レンズ体を備え、
反射面には、反射レンズ体の中部からの光を装飾レンズ体に向けて射出可能な第１反射領域と、該中部からの光を遮断する第２反射領域とが形成され、
反射レンズ体に、第２光源が照射した照射光の一部が所定位置から中部に導光されて第１反射領域から射出されることにより、第１光源の反射光と合わさって装飾レンズ体を第３の発光色で発光する一方、第２反射領域では、中部に導光された第２光源の光を遮断して第１光源の反射光によって装飾レンズ体を第１の発光色で発光する構成を採用することができる。
【００１３】
これによれば、装飾レンズ体の背面側（装飾レンズ体と反射レンズ体の間）に第１光源が照射光の光軸を装飾レンズ体と平行になるように配置されているので、装飾構造の大きさ（厚み）を小さく（薄く）して小スペースに設置することができる。また、第１光源の照射光は反射レンズ体の反射面を介し反射光として装飾レンズ体を発光させるので、点光りが抑制されムラなく面発光させることができる。
【００１４】
なお、第２光源は、反射レンズ体の背面側に配置することができ、第２光源の第２の発光色は、反射面以外の場所から射出されて装飾レンズ体を照射することができる。
【００１５】
また、遊技機の装飾構造は、第２光源が第１光源と対向して配置され、
第１及び第２光源は、反射レンズ体の第２反射領域においてそれぞれの第１及び第２の発光色で装飾レンズ体を面発光する一方、第１反射領域においてそれぞれの屈折光及び反射光によって混色した第３の発光色で装飾レンズ体を面発光する構成を採用することができる。
【００１６】
これによれば、装飾レンズ体の背面側でその装飾レンズ体と平行になるように配置された第１光源と対応して第２光源が配置されているので、装飾構造の大きさ（厚み）を小さく（薄く）して小スペースに設置することができる。
【００１７】
また、遊技機の装飾構造として第２反射領域は、反射レンズ体の前面側に配置された柔軟性及び光透過性を有する配線基板の導体パターン或いは塗料・印刷インクなどの不透明部によって形成され、第１光源がその配線基板に実装されている構成を採用することができる。これによれば、第１光源が実装された配線基板を反射レンズ体の前面側に配置することができるので、簡単な構造となり、組み立てが容易である。また、配線基板を反射レンズ体にそのまま配置することができるので、薄型化やコンパクト化となる。さらには、光透過性を有する配線基板の透明度等を適宜調整して、配線基板自身を反射レンズ体として利用してもよい。
【００１８】
なお、ここでいう「光透過性」とは、少なくとも可視光の波長の領域の光を透過する性質のことであり、発光手段の光源が視認し得る状態又は発光手段の光源の光が視認し得る状態をなし得ることを示し、透明又は半透明の他に透過する光が拡散されるため、又は透過率が低いために、その材質を通して向こう側の形状等を明確に認識できない、又はまったく認識できない状態のものも含む。
【００１９】
また、遊技機の装飾構造は、第２反射領域は、反射レンズ体の前面側に配置された柔軟性及び光透過性を有する配線基板の導体パターン或いは塗料・印刷インクなどの不透明部によって形成され、第１及び第２光源がその配線基板に実装されている構成を採用することができる。これによれば、第１及び第２光源が実装された配線基板を反射レンズ体の前面側に配置するだけでいいので、構造が簡単となり、組み立てが容易である。配線基板を反射レンズ体にそのまま配置することができるので、薄型化やコンパクト化となる。
【図面の簡単な説明】
【００２０】
【図１】本発明の実施形態に係る遊技機の一例を示す正面図である。
【図２】スピーカーに装飾構造を用いた概念説明図である。
【図３】装飾構造の第１態様の概略を説明する概念図である。
【図４】装飾構造の第２態様の概略を説明する概念図である。
【発明を実施するための形態】
【００２１】
以下、本発明における実施形態について図面を参照しつつ説明する。
【実施例】
【００２２】
図１に示すように、遊技機１（以下、ぱちんこ機１ともいう）には、外枠、内枠、前面枠などからなる枠体１ａに遊技盤２が取り付けられている。この遊技盤２の盤面２ａ（前面）には、内外の２本のガイドレール２ｂによって区画された略円形の遊技領域２ｃが形成されている。そして、遊技領域２ｃの中央には、液晶表示部２ｄが搭載され、その液晶表示部２ｄの下方（遊技領域２ｂの中央下部）に大入賞装置２ｅが配置されている。また、液晶表示部２ｄと大入賞装置２ｅとの間には、始動入賞装置２ｆが配置されている。
【００２３】
また、ぱちんこ機１には、枠体１ａの前面側の遊技盤２の下方に遊技球を貯留しその遊技球を球発射装置（図示せず）に誘導する球受皿３が配置されている。また、ぱちんこ機１には、その球発射装置が遊技球を遊技盤２（遊技領域２ｃ）内に発射する際に遊技者が操作する発射ハンドル４や、タバコの灰皿５が配置されている。また、ぱちんこ機１は、枠体１ａの前面側の上側両隅に遊技者が視認可能な状態でスピーカー６，６が配置されている。すなわち、スピーカー６，６に対応する枠体１ａの前面枠の上側両隅が透明に形成されている。
【００２４】
なお、本明細書において、ぱちんこ機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００２５】
スピーカー６は、図２に示すように、リード線１０の一端をハンダ付けした円筒状のボイスコイル１１と、このボイスコイル１１を軸線方向に振動可能に支持するダンパー１２と、ボイスコイル１１によって駆動され音波を発生する振動体としての略円錐形状（コーン型）の振動板１３と、ボイスコイル１１を配置する磁気ギャップを形成するための磁気回路部１４と、その磁気回路部１４，ダンパー１２及び振動板１３のエッジを所定の位置に支持するフレーム１５とを含み構成されている。
【００２６】
スピーカー６は、ボイスコイル１１の先端を閉塞するセンターキャップ１６と、振動板１３を挟んでフレーム１５へ固着される環状のガスケット１７と、音声電流の入力端子１８とを備えている。そして、スピーカー６の後方には、スピーカー６を照射して装飾する発光ユニット２０が配置されている。
【００２７】
ダンパー１２は、ポリプロピレン（ＰＰ），ポリカーボネイト（ＰＣ），ポリエチレンテレフタレート（ＰＥＴ）等の光透過性樹脂（例えば、透明）により平板ダンパーとして形成されている。
【００２８】
振動板１３は、ポリプロピレン（ＰＰ），ポリカーボネイト（ＰＣ），ポリエチレンテレフタレート（ＰＥＴ）等の光透過性樹脂（例えば、透明）により先端のエッジで開口し中心に通孔が開設された略円錐形状に形成されている。なお、振動板１３は、円錐形をしたものだけでなく、正面視して楕円，多角形状のものあるいはドーム型，平面型のものであってもよい。
【００２９】
フレーム１５は、ポリプロピレン（ＰＰ），ポリカーボネイト（ＰＣ），ポリエチレンテレフタレート（ＰＥＴ）等の光透過性樹脂により、例えば透明に形成されている。また、フレーム１５は、本実施形態において光透過性樹脂により音波発生方向に拡開放する略円錐台形の深皿形状に形成されており、その開口周縁部がフランジ状に形成されて振動板１３を保持するガスケット１７が支持されている。また、フレーム１５には、厚さ１ｍｍ程度の基板に、リード線１０の他端が接続された厚さ０．５ｍｍ程度の薄い金属板からなるプラスとマイナスの端子部を取り付けた入力端子１８がビスなどの締結部材１９によって固定されている。
【００３０】
なお、本実施形態においてセンターキャップ１６，ガスケット１７は、ダンパー１２，振動板１３及びフレーム１５と同様にポリプロピレン（ＰＰ），ポリカーボネイト（ＰＣ），ポリエチレンテレフタレート（ＰＥＴ）等の光透過性樹脂により形成することができる。つまり、発光ユニット２０の前方に位置してスピーカー６を構成するリード線１０、ボイスコイル１１、磁気回路部１４以外はすべて少なくとも可視光の波長の領域の光を透過する光透過性樹脂により形成することができ、磁気回路部１４の外周方向に位置して設けられる発光ユニット２０の発光が視認可能となる。
【００３１】
すなわち、本発明の装飾構造は、ぱちんこ機１の装飾に用いることができ、本実施形態ではその一例としてスピーカー６に採用したものである。したがって、ダンパー１２，振動板１３，フレーム１５，センターキャップ１６及びガスケット１７が、遊技者が視認可能な所定位置に設けられる本発明の装飾レンズ体として構成されている。
【００３２】
発光ユニット２０は、装飾レンズ体としてのスピーカー６の背面側に配置され、そのスピーカー６を照射して面発光させる複数の光源を備えている。そして、複数の光源は、第１の発光色で照射する第１光源と、その第１の発光色とは異なる第２の発光色で照射可能な第２光源とを有している。また、第１及び第２光源は、スピーカー６（装飾レンズ体）を面発光させる際に、それぞれの第１及び第２の発光色で発光する領域を形成しつつ、当該第１及び第２光源の発光色を混色した第３の発光色で発光する領域を形成可能に配置されている。
【００３３】
発光ユニット２０は、ドーナツ状（環状）形態をなし、磁気回路部１４に嵌め込まれる形でスピーカー６の後面側に配置されている。なお、発光ユニット２０は、スピーカー６を全体的に発光させるために、本発明の装飾構造を構成する第１及び第２光源の組を所定角度ごとに複数配置している。
【００３４】
具体的には、発光ユニット２０は、環状の板状形態をなす反射レンズ体２１と、その反射レンズ体２１の前面側に配置される第１配線基板３０と、反射レンズ体２１の後面側に配置される第２配線基板４０とを含み構成されている。
【００３５】
第１配線基板３０は、反射レンズ体２１に対応して環状のシート状形態をなし、柔軟性及び光透過性を有する透明フレキシブル基板で形成されている。第１配線基板３０には、第１光源として径方向に沿って対向して配置された外側ＬＥＤ３１と内側ＬＥＤ３２とが前面側に実装されている。外側ＬＥＤ３１及び内側ＬＥＤ３２は、第１配線基板３０の実装面に対して光軸が平行となるサイドビュータイプの発光ダイオードが用いられ、外側ＬＥＤ３１は光軸が径方向内側を向くように実装され、内側ＬＥＤ３２は光軸が径方向外側を向くように実装されている。
【００３６】
また、第１配線基板３０は、導体パターン或いは塗料・印刷インクなどの不透明部３３を形成している。具体的には、不透明部３３は、外側ＬＥＤ３１及び内側ＬＥＤ３２の光軸と重なる位置に形成されている。不透明部３３は、後述する反射レンズ体２１の前面側に形成される隆起部２２の傾斜面２３の一部を覆うように配置されている。なお、反射レンズ体２１は、光を効率よく拡散するためにローレット，Ｖカット，しぼなどの凹凸表面加工が隆起部２２も含め表面（前面）に施されている。
【００３７】
第２配線基板４０は、環状の板状形態をなし、剛性を有するリジット基板によって形成されている。第２配線基板４０の前面側には、第２光源として反射レンズ体２１を照射する後側ＬＥＤ４１が実装されている。後側ＬＥＤ４１は、第２配線基板４０の実装面に対して光軸が垂直となるトップビュータイプの発光ダイオードが用いられ、自身の光軸が第１配線基板３０の外側ＬＥＤ３１及び内側ＬＥＤ３２の光軸と交差するように配置されている。
【００３８】
次に、図３を用いて本発明の装飾構造の概略について説明する。なお、図３は、装飾構造を分かり易く説明するために、スピーカー６の代わりに板状の装飾レンズ体５０を発光ユニット２０の前方に配置した例である。
【００３９】
まず、反射レンズ体２１は、第１光源としての外側ＬＥＤ３１及び内側ＬＥＤ３２の照射光を装飾レンズ体５０（スピーカー６）に向けて反射する反射面２５を隆起部２２の傾斜面２３によって形成している。反射面２５には、反射レンズ体２１の中部からの光を装飾レンズ体５０に向けて射出可能な第１反射領域２５ａと、該中部からの光を遮断する第２反射領域２５ｂとが形成されている。本実施形態においては、反射レンズ体２１の前面側に、透明フレキシブル基板によって形成された第１配線基板３０が重ねられて配置されているため、不透明部３３によって第２反射領域２５ｂが形成されている。なお、反射レンズ体２１に部分的にメッキなどを施して直接第２反射領域２５ｂを形成してもよい。
【００４０】
これにより、反射レンズ体２１に、後側ＬＥＤ４１（第２光源）が照射した照射光の一部が所定位置から中部に導光されて第１反射領域２５ａから射出されることにより、外側ＬＥＤ３１及び内側ＬＥＤ３２（第１光源）の反射光と合わさって装飾レンズ体５０を第３の発光色（第２領域，第４領域）で発光する。第２反射領域２５ｂでは、中部に導光された後側ＬＥＤ４１（第２光源）の光を遮断して外側ＬＥＤ３１及び内側ＬＥＤ３２（第１光源）の反射光によって装飾レンズ体５０を第１の発光色（第１領域，第５領域）で発光することができる。なお、後側ＬＥＤ４１（第２光源）反射レンズ体２１の反射面２５以外のところから装飾レンズ体５０を照射して第２の発光色（第３領域）で発光することができる。
【００４１】
例えば、図３に示すように、第１光源としての外側ＬＥＤ３１及び内側ＬＥＤ３２、第２光源としての後側ＬＥＤ４１を次の発光色で発光させる。
外側ＬＥＤ３１：赤色（Ｒ）の発光色で発光
内側ＬＥＤ３２：緑色（Ｇ）の発光色で発光
後側ＬＥＤ４１：青色（Ｂ）の発光色で発光
【００４２】
その結果、上述のごとく、反射レンズ体２１が外側ＬＥＤ３１，内側ＬＥＤ３２及び後側ＬＥＤ４１の照射を受けて装飾レンズ体５０の第１領域から第５領域が次のように発光することとなる。
第１領域：赤色（Ｒ）の発光色で発光
第２領域：紫色（マゼンダ：Ｍ）の発光色で発光（赤色（Ｒ）＋青色（Ｂ）の発光色で発光）
第３領域：青色（Ｂ）の発光色で発光
第４領域：水色（シアン：Ｃ）の発光色で発光（緑色（Ｇ）＋青色（Ｂ）の発光色で発光）
第５領域：緑色（Ｇ）の発光色で発光
【００４３】
これによれば、第１光源と第２光源といった複数の光源を組み合わせたときに、複雑な回路設計や制御をしなくとも、第１光源の発光による第１の発光色と、第２光源の発光による第２の発光色のみならず、それらが混色した第３の発光色によっても装飾レンズ体を面発光するので、発光色や点灯、点滅のパターンにグラデーション効果を加えて発光態様のバリエーションを増加することができ興趣に富んだ発光態様を実現することができる。さらには、第３の発光色である混色領域を形成することで、制御によって第１光源と第２光源との輝度の割合を変化させることで、その混色される第３の発光色を変化させることが可能である。ひいては、遊技者はその発光態様に見慣れることなく、興趣を持続させることができる。
【００４４】
次に、図４を用いて、装飾構造の別の実施形態について説明する。図４に示すように、外側ＬＥＤ３１及び内側ＬＥＤ３２が対向して配置され、反射レンズ体２１の隆起部２２がその間で山形状に形成されている。すなわち、第２配線基板４０が省略され、外側ＬＥＤ３１及び内側ＬＥＤ３２のそれぞれが第１光源及び第２光源として形成することができる。これにより、第１及び第２光源は、反射レンズ体２１の第２反射領域２５ｂにおいてそれぞれの第１及び第２の発光色（第１領域，第３領域）で装飾レンズ体５０を面発光する一方、第１反射領域２５ａにおいてそれぞれの屈折光及び反射光によって混色した第３の発光色（第２領域）で装飾レンズ体５０を面発光させることができる。
【００４５】
例えば、図４に示すように、第１光源としての外側ＬＥＤ３１，第２光源としての内側ＬＥＤ３２次の発光色で発光させる。
外側ＬＥＤ３１：赤色（Ｒ）の発光色で発光
内側ＬＥＤ３２：緑色（Ｇ）の発光色で発光
【００４６】
その結果、上述のごとく、反射レンズ体２１が外側ＬＥＤ３１，内側ＬＥＤ３２の照射を受けて装飾レンズ体５０の第１領域から第３領域が次のように発光することとなる。
第１領域：赤色（Ｒ）の発光色で発光
第２領域：黄色（Ｙ）の発光色で発光（赤色（Ｒ）＋緑色（Ｇ）の発光色で発光）
第３領域：緑色（Ｇ）の発光色で発光
【００４７】
本発明では遊技機の一例としてぱちんこ機について説明したが、他に例えばアレンジボール遊技機、雀球遊技機等の遊技機に適用することができる。
【符号の説明】
【００４８】
１  ぱちんこ機（遊技機）
１ａ  枠体
６  スピーカー（装飾レンズ体）
１２  ダンパー（装飾レンズ体）
１３  振動板（装飾レンズ体）
１５  フレーム（装飾レンズ体）
１６  センターキャップ（装飾レンズ体）
１７  ガスケット（装飾レンズ体）
２０  発光ユニット
２１  反射レンズ体
２５  反射面
２５ａ  第１反射領域
２５ｂ  第２反射領域
３０  第１配線基板
３１  外側ＬＥＤ（第１光源，第２光源）
３２  内側ＬＥＤ（第１光源，第２光源）
３３  不透明部
４０  第２配線基板
４１  後側ＬＥＤ（第２光源）
５０  装飾レンズ体
【図１】
2010188061.tif 000003
【図２】
2010188061.tif 000004
【図３】
2010188061.tif 000005
【図４】
2010188061.tif 000006